(57)【特許請求の範囲】
【請求項１】
遊技盤の盤面において所定の情報を表示する表示装置が備えられた遊技機において、
前記表示装置は、前記遊技盤の盤面を構成するパネル板に設けられた貫通穴内に挿入され、且つ前記表示装置の盤面側の前面が前記盤面と面一となるように取り付けられ、前記貫通穴には、前記表示装置の背面側の周縁部分が当接する段部が設けられ、前記表示装置の背面側には、前記パネル板の背面側における前記貫通穴の縁部分に係合する可撓性を有する係合突起が設けられていることを特徴とする遊技機。
【請求項２】
前記表示装置は、表示情報記憶媒体と、前記表示情報記憶媒体の背面に配設され且つ複数の発光ダイオードが搭載された電気回路基板とを備え、
前記表示情報記憶媒体の背面側には、凸状段部が突設されると共に、当該凸状段部には嵌合突起が設けられ、前記電気回路基板には、前記凸状段部の嵌合突起と嵌合する嵌合穴が設けられ、前記嵌合突起に前記嵌合穴が嵌合されることにより複数の前記発光ダイオードが前記表示情報記憶媒体の背面と対向するように位置決めされていることを特徴とする請求項１に記載の遊技機。
【請求項３】
前記表示装置は、前記パネル板の盤面と面一に配設されるカバー部材を備え、
前記表示情報記憶媒体は、前記カバー部材の裏面に配設されると共に、前面の両側部に嵌合穴が設けられ、前記カバー部材は背面の両側部に前記嵌合穴と嵌合する嵌合突起が設けられていることを特徴とする請求項２に記載の遊技機。
【請求項４】
前記表示情報記憶媒体には、前記各発光ダイオードに対応する光演出部が設けられ、
前記光演出部は、前記表示情報記憶媒体の前面より裏面側に形成された凹凸形状に形成されていることを特徴とする請求項２または請求項３に記載の遊技機。
【請求項５】
前記表示装置は、保留球の記憶表示装置であることを特徴とする請求項１から請求項４のいずれか１項に記載の遊技機。
【請求項６】
前記カバー部材の盤面側の前面に、光強度に応じて光透過性が変化する薄膜が蒸着されていることを特徴とする請求項３に記載の遊技機。
【請求項７】
前記表示情報記憶媒体の盤面側の前面に、光強度に応じて光透過性が変化する薄膜が蒸着されていることを特徴とする請求項２に記載の遊技機。
【請求項８】
前記遊技機は、弾球遊技機であることを特徴とする請求項１に記載の遊技機。
【請求項９】
前記表示装置は、パチンコ機の遊技盤の盤面の天側に設けられた天釘の上方の遊技領域に設けられることを特徴とする請求項１に記載の遊技機。
【発明の詳細な説明】
【０００１】
【発明の属する技術分野】
本発明は、遊技機に関し、特に、遊技機の遊技盤に設けられる表示装置の構造及びその取り付け構造に関するものである。
【０００２】
【従来の技術】
従来、パチンコ機やスマートボール機、スロットマシン等の遊技機には、遊技の演出効果を高める等のために、種々の表示装置が設けられている。
【０００３】
図１０は、一例として、従来のパチンコ機に設けられた表示装置の一つである特別図柄記憶装置の構造とその遊技盤への取り付け構造を示している。
【０００４】
この特別図柄記憶装置１は、特別図柄記憶ＬＥＤとも呼ばれ、同図（ａ）の図面に示すように、遊技盤のベニア製のパネル板２に穿設された貫通穴３に特別図柄記憶装置１の一部分を挿入して取り付けられている。
【０００５】
また、同図（ｂ）の縦断面図に示すように、特別図柄記憶装置１は、光透過性を有する樹脂で成型された特別図柄記憶部材４と、特別図柄記憶部材４の裏面に取り付けられた電気回路基板５とで構成され、電気回路基板５には、特別図柄記憶部材４の裏面に対向する４個の発光ダイオードＰＤが略横一列に並べて搭載されている。
【０００６】
特別図柄記憶部材４の側端にはフランジ部６が一体成型されており、同図（ｃ）の縦断面図に示すように、パネル板２の貫通穴３に特別図柄記憶装置１の一部分を挿入し、更に、パネル板２に貫通穴３を形成した際に発生したバリ等をフランジ部６で覆い隠して、フランジ部６を通して固定ネジ７をパネル板２にねじ込むことにより、特別図柄記憶装置１がパネル板２に固定されている。
【０００７】
そして、遊技盤に設けられた始動入賞口に複数個の遊技球が入賞すると、その入賞したことにより生じた特別図柄作動保留球数が、最高４個までを上限として上記の発光ダイオードＰＤの点灯により表示されるようになっている。
【０００８】
【発明が解決しようとする課題】
しかしながら、上記従来の特別図柄記憶装置１を備えたパチンコ機にあっては、図１０（ｃ）の縦断面図に示したように、特別図柄記憶部材４の前面部８とフランジ部６がパネル板２の盤面から張り出すため、盤面上を落下する遊技球ＢＬがこの張り出しによって生じる段差に当たり、遊技球ＢＬのコースが変化してしまうという問題があった。また、前面部８には、視覚的な演出効果等をもたらすための凹凸模様が形成されており、この凹凸模様の角部や上記段差に遊技球ＢＬが接触することで、凹凸模様が摩耗したり、表面処理されたメッキや塗装が剥がれ易い等の問題があった。
【０００９】
このような遊技球のコース変化や模様が磨耗し易い等の問題は、特別図柄記憶装置に限られたものではなく、遊技球のコース上に配設される他の表示装置においても生じる場合があった。また、これらの問題は、パチンコ機に限られたものではなく、スマートボール機等の弾球遊技機全般において生じる問題であった。
【００１０】
本発明は、このような従来の遊技機の課題を克服することができる表示装置を備えた遊技機を提供することを目的とする。
【００１１】
【課題を解決するための手段】
上記目的を達成するために本発明は、遊技盤の盤面において所定の情報を表示する表示装置が備えられた遊技機において、前記表示装置を、前記遊技盤の盤面を構成するパネル板に設けられた貫通穴内に挿入し、且つ前記表示装置の盤面側の前面が前記盤面と面一となるように取り付け、前記貫通穴には、前記表示装置の背面側の周縁部分が当接する段部を設け、前記表示装置の背面側には、前記パネル板の背面側における前記貫通穴の縁部分に係合する可撓性を有する係合突起を設けることとした。
【００１２】
本構造によれば、表示装置が遊技盤の盤面から張り出さない。これにより、遊技盤を通過する遊技球が表示装置に当たることなく通過し、遊技球にコース変化を与えることがない。また、表示装置の背面側の周縁部分が貫通穴の段部に当接し、表示装置の背面側に設けた係合突起が、パネル板の背面側における貫通穴の縁部分に係合するので、表示装置は、位置ずれを生じることなく、パネル板の所定位置に固定される。また、係合突起は、表示装置を貫通穴内に挿入することによって自動的にパネル板の裏面に係合し、また、撓めることによってパネル板との係合状態が解除されるので、表示装置の着脱が容易に行える。これにより一旦取り付けた表示装置を別個の表示装置に容易に取り替えたりすることができる。
【００１３】
また、前記表示装置を、保留球の記憶表示装置であることとした。
【００１４】
本構造によれば、記憶された保留球の情報を表示装置によって表示させることができる。
【００１５】
また、前記表示装置は、前記パネル板の盤面と面一に配設されるカバー部材を備え、前記表示情報記憶媒体は、前記カバー部材の裏面に配設されると共に、前面の両側部に嵌合穴が設けられ、前記カバー部材は背面の両側部に前記嵌合穴と嵌合する嵌合突起が設けられている構造とした。また、前記表示情報記憶媒体には、前記各発光ダイオードに対応する光演出部が設けられ、前記光演出部は、前記表示情報記憶媒体の前面より裏面側に形成された凹凸形状に形成されている構造とした。
【００１６】
本構造によれば、発光ダイオードから出射される光が表示情報記憶媒体を透過することにより、表示情報記憶媒体に記憶されている情報を得ることとなり、カバー部材の前面にその情報が表示される。また、前記光演出部が、前記表示情報記憶媒体の前面より裏面側に形成された凹凸形状に形成されている場合であっても、この表示情報記憶媒体をカバー部材で覆うことにより、表示装置の前面に凹凸が発生せず且つその前面が盤面と面一になる。これにより、遊技球による摩耗等の発生が防止される。
【００１７】
また、前記表示装置は、表示情報記憶媒体と、前記表示情報記憶媒体の背面に配設され且つ複数の発光ダイオードが搭載された電気回路基板とを備え、前記表示情報記憶媒体の背面側には、凸状段部が突設されると共に、当該凸状段部には嵌合突起が設けられ、前記電気回路基板には、前記凸状段部の嵌合突起と嵌合する嵌合穴が設けられ、前記嵌合突起に前記嵌合穴が嵌合されることにより複数の前記発光ダイオードが前記表示情報記憶媒体の背面と対向するように位置決めされている構造とした。
【００１８】
本構造によれば、発光素子から出射される光が表示情報記憶媒体を透過することにより、表示情報記憶媒体に記憶されている情報を得ることとなり、更に、表示情報記憶媒体の前面にその情報が表示される。これにより、部品点数の少ない表示装置が実現される。
【００１９】
【発明の実施の形態】
次に、本発明による遊技機をパチンコ機に適用した第１の実施の形態について説明する。図１は、本実施の形態によるパチンコ機９の概略構造を示す正面図である。
【００２０】
同図において、本パチンコ機９は、矩形状の枠体（以下、筐体という）１０と、筐体１０に組み付けられた遊技盤１１と、筐体１０に支持され遊技盤１１の前面を覆うガラス扉１２とを備えて構成されている。
【００２１】
筐体１０の最上部には枠体上部飾りランプ１３、筐体１０の下部には遊技球を収容する上受け皿１４と下受け皿１５が設けられ、更に、下受け皿１５の右側には発射ハンドル１６が設けられている。
【００２２】
遊技盤１１の盤面には、遊技領域１７の範囲を画成する略円環状の外レール１８と内レール１９が設けられ、外レール１８の外側上方には盤面飾りランプ２０，２１が設けられている。
【００２３】
遊技領域１７の盤面中央には、液晶ディスプレイやＣＲＴ（陰極線管）ディスプレイ等からなる特別図柄表示装置２２と７セグメント発光ダイオード等からなる普通図柄表示装置２３とが配設されている。
【００２４】
更に、遊技領域１７の盤面には、普通図柄表示装置２３の上方に近接して設けられた天入賞口２４と、特別図柄表示装置２２の左右に設けられた通過ゲート２５，２６と、通過ゲート２５，２６の斜め下方に設けられた肩入賞口２７，２８及び袖入賞口２９，３０と、特別図柄表示装置２２の下方に設けられた第１種入賞口（以下、始動入賞口という）３１及びアタッカーと呼ばれる大入賞口３２と、大入賞口３２の左右に設けられた落し入賞口３３，３４がそれぞれ備えられている。
【００２５】
なお、図示していないが、上記の各入賞口２４，２７〜３４のそれぞれには、遊技球の入賞を検出する検出センサが設けられ、通過ゲート２５，２６にも遊技球の通過を検出する検出センサが設けられている。また、始動入賞口３１の両側には、左右に揺動可能な一対の可動片３１ａ，３１ｂが設けられ、大入賞口３２には、上下に揺動可能な開閉扉（符号略）が設けられている。これらの可動片３１ａ，３１ｂと開閉扉は、遊技盤１１の背面に設けられたアクチュエータによって駆動制御されるようになっている。
【００２６】
天入賞口２４の上方の遊技領域１７には、複数本の遊技釘（以下、天釘という）３５が植設されている。その他にも、図示しない多数の遊技釘と、風車と呼ばれる部材３６，３７，３８，３９、盤面前方に向けて突設された袖通路部材４０，４１、天入賞口２４の両側に配設された役物上通路４２等の、遊技球の落下に変化を与える部材が遊技領域１７の各部に備えられている。
【００２７】
更に、普通図柄表示装置２３の左右には、４個の発光ダイオードを有する普通図柄記憶部（以下、普通図柄記憶ＬＥＤという）４３が設けられ、天釘３５の上方の遊技領域１７には、４個の発光ダイオードを有する特別図柄記憶部（以下、特別図柄記憶ＬＥＤという）４４が設けられ、遊技領域１７の最下部には、上記の各入賞口２４，２７〜３４に入賞することなく落下した遊技球を回収するためのアウト口４５が設けられている。
【００２８】
遊技盤１１の背面には、マイクロプロセッサ（ＭＰＵ）と所定のアルゴリズムに基づいて作成された遊技処理プログラムを記憶している読出し専用メモリ（ＲＯＭ）やランダムアクセスメモリ（ＲＡＭ）等を有して構成された制御装置と、この制御装置に接続された前記アクチュエータや検出センサ等の周辺装置が設けられている。そして、上記のＭＰＵが遊技処理プログラムに基づいて各周辺装置を制御することにより、パチンコ機９全体の遊技処理動作を制御及び管理している。
【００２９】
次に、本実施の形態によるパチンコ機９の主な遊技動作を概説する。
【００３０】
操作者が発射ハンドル１６を右側に回転操作すると、それに連動して発射ハンドル１６の背面側に設けられているアクチュエータ（図示略）が打球動作を開始する。この打球動作により、上受け皿１４に収容されている遊技球が１個ずつ打ち出され、外レール１８と内レール１９の間を通って遊技領域１７へ打ち込まれる。
【００３１】
遊技領域１７内に打ち込まれた遊技球が、普通入賞口である天入賞口２４と肩入賞口２７，２８、袖入賞口２９，３０及び落し入賞口３３，３４のいずれかに入賞すると、それぞれの入賞口に設けられている検出センサが遊技球の入賞を検出し、その検出情報に基づいて前記制御装置が、遊技球１個の入賞に対して所定個数（たとえば、５個）の遊技球を上受け皿１４へ払い出させる。
【００３２】
遊技球が通過ゲート２５，２６の何れか一方を通過すると、各通過ゲート２５，２６に設けられている検出センサがこれを検出する。この検出情報に基づいて前記制御装置が普通図柄表示装置２３に指令し、普通図柄表示装置２３に表示される普通図柄の変動を開始させ、一定時間（たとえば、約５．０４秒）後にこの変動を停止させる。すなわち、普通図柄表示装置２３に表示される普通図柄は、「０」〜「９」の計１０種類の数字からなり、普通図柄の変動開始に伴ってこれらの数字が変動し、上記一定時間後にその変動が停止して、１回分の普通図柄変動表示が終了する。
【００３３】
この停止時に表示された普通図柄が予め定められた図柄（たとえば、「７」）になると当たりとなり、始動入賞口３１に設けらている可動片３１ａ，３１ｂが所定時間（たとえば、０．２秒）だけ開成され、始動入賞口３１へ遊技球が入り易い遊技者にとって有利な状態となる。
【００３４】
なお、始動入賞口３１に１個の遊技球が入賞する毎に所定個数（たとえば、５個）の遊技球が上受け皿１４へ払い出される。更に、可動片３１ａ，３１ｂが開成されている間に、おおむね１個の遊技球が始動入賞口３１に入賞すると、上記所定時間（たとえば、０．２秒）以内であっても、可動片３１ａ，３１ｂが閉成され、始動入賞口３１へ遊技球が入り難い状態に戻る。
【００３５】
また、上記普通図柄の変動中に、複数個の遊技球が通過ゲート２５，２６を通過すると、その通過数に応じて更に普通図柄を変動させることができる球数（普通図柄作動保留球数という）が、最高４個を上限として普通図柄記憶ＬＥＤ４３の発光ダイオードの点灯によって表示される。
【００３６】
そして、普通図柄表示装置２３による普通図柄の変動表示が１回終了するか、又は始動入賞口３１に設けられた可動片３１ａ，３１ｂの開閉動作が１回終了すると、普通図柄記憶ＬＥＤ４３の発光ダイオードが１個消灯すると共に、再び普通図柄表示装置２３による普通図柄の変動表示が行われ、普通図柄記憶ＬＥＤ４３の全ての発光ダイオードが消灯するまで、同様の普通図柄変動表示が繰り返される。
【００３７】
遊技球が始動入賞口３１に入賞した場合には、前記制御装置の指示に従って、特別図柄表示装置２２に表示されている３個の特別図柄の変動が開始され、所定時間（たとえば、約６．３秒）経過後、各特別図柄が所定の順番で停止されて、１回分の特別図柄変動表示が終了する。
【００３８】
なお、上記３個の特別図柄は、特別図柄表示装置２２に横方向に並べて表示され、左側から右側へ順に、左図柄、中図柄、右図柄と呼ばれている。
【００３９】
この停止時に表示された３個の特別図柄が所定図柄の組み合わせで揃うと、前記制御装置の指示に従って、大入賞口３２に設けられた開閉扉が所定時間（たとえば、約２８．８秒）だけ開成され、大入賞口３２へ遊技球が入り易い遊技者にとって有利な状態となり、大入賞口３２に遊技球が１個入賞する毎に１０個の遊技球が上受け皿１４に払い出される。なお、前記開閉扉の１回の開成状態の間に、おおむね９個の遊技球が大入賞口３２に入賞すると、たとえ上記の所定時間（たとえば、約２８．８秒）以内であっても、開閉扉が閉成される。
【００４０】
また、大入賞口３２の特定領域が所定期間（たとえば、開閉扉が開成してから０．２秒後と１４．６秒後の２回、合計４．８秒間）だけ有効となり、この有効期間内に大入賞口３２内の特定領域を遊技球が通過すると、前記制御装置により役物連続作動状態が設定され、この回での開閉扉の閉成後に、更に開閉扉の上記所定時間での開成が１５回を上限として繰り返される。
【００４１】
また、上記の開閉扉が開成している間に、始動入賞口３１に複数の遊技球が入賞すると、その入賞数に応じて更に特別図柄を変動させることができる球数（特別図柄作動保留球数という）が、最高４個を上限として特別図柄記憶ＬＥＤ４４の発光ダイオードの点灯によって表示される。
【００４２】
そして、特別図柄表示装置２２による特別図柄の変動表示が１回終了するか、または前記の役物連続作動状態が終了すると、特別図柄記憶ＬＥＤ４４の発光ダイオードが１個消灯すると共に、再び特別図柄表示装置２２による特別図柄の変動表示が行われ、特別図柄記憶ＬＥＤ４４の全ての発光ダイオードが消灯するまで、同様の特別図柄変動表示が繰り返される。
【００４３】
次に、本実施の形態に係る要部である特別図柄記憶ＬＥＤ４４の構造とその取り付け構造を図２〜図５を参照して説明する。なお、これらの図において、パチンコ機９の水平方向をｘ、縦方向をｙ、奥行き方向をｚとするｘｙｚ直交座標系で示している。
【００４４】
特別図柄記憶ＬＥＤ４４は、図１に示したように、天釘３５の上方の遊技領域１７に設けられ、この領域を通過する遊技球に対しコース変更を生じさせない構造となっている。以下、その構造を詳述する。
【００４５】
図２において、遊技盤１１の盤面を構成するパネル板４６は、所定形状の樹脂成型金型にアクリル樹脂等の樹脂を注入して固化させることにより一体成型されている。パネル板４６の天釘３５の上方に該当する所定部分には、特別図柄記憶ＬＥＤ４４を嵌装させるための貫通穴４７が形成されている。この貫通穴４７は、パネル板４６を樹脂成型する際に上記樹脂成型金型を用いて同時に成型したり、パネル板４６を樹脂成型した後、切削機械を用いてパネル板４６に穿設加工を施すことにより形成されている。
【００４６】
更に図３の要部横断面図に示すように、貫通穴４７は、パネル板４６の盤面側に開口する第１の穴４７ａと、パネル板４６の裏面側に開口し且つ第１の穴４７ａより小さな第２の穴４７ｂとが連通した構造を有し、これら大きさの異なる第１，第２の穴４７ａ，４７ｂによって段部４７ｃが形成されている。
【００４７】
特別図柄記憶ＬＥＤ４４は、光透過性を有する硬質樹脂で成型された略平板状のカバー部材４８と特別図柄記憶部材４９と、特別図柄記憶部材４９の背面に配設される電気回路基板５０を備えて構成されている。更に、特別図柄記憶部材４９は、光透過性を有する有色樹脂等で成型されたり模様等が施され、これらの色や模様等の情報を盤面に表示するための表示情報記憶媒体である。
【００４８】
カバー部材４８と特別図柄記憶部材４９のそれぞれの平板状の基部４８ａ，４９ａの厚みＷ１，Ｗ２と、第１の穴４７ａの奥行き（深さ）Ｄ１とが、Ｄ１＝Ｗ１＋Ｗ２の関係に設計されている。更に、ｚ方向から見たとき、すなわち盤面前方から見たときのカバー部材４８と特別図柄記憶部材４９のそれぞれの外郭形状が、第１の穴４７ａの開口形状とほぼ同一の形状に成型されており、これにより、カバー部材４８と特別図柄記憶部材４９が第１の穴４７ａ内に嵌合可能となっている。
【００４９】
カバー部材４８の基部４８ａの裏面には、複数の嵌合突起５１，５２が一体成型され、特別図柄記憶部材４９の基部４９ａの前面には、嵌合突起５１，５２を嵌合させる複数の嵌合穴５３，５４が形成されている。
【００５０】
また、特別図柄記憶部材４９の基部４９ａの前面には、後述する４個の発光ダイオードＰＤ１〜ＰＤ４に対応させて、光演出部としての４個の円形凸部５５〜５８が形成され、その他にも視覚的な演出効果を高めるための凹凸模様が形成されている。なお、円形凸部５５〜５８の頂上部は平坦であり、特別図柄記憶部材４９の基部４９ａの前面にカバー部材４８の基部４８ａの裏面を重ね合わせると、円形凸部５５〜５８の頂上部がカバー部材４８の基部４８ａの裏面に接触する構造となっている。
【００５１】
基部４９ａの側端から距離Ｌ１を隔てた裏面には、可撓性を有する一対の係合突起５９，６０が突設されており、距離Ｌ１は、パネル板４６に設けられた段部４７ｃの幅Ｗ３とほぼ等しい距離に設定されている。
【００５２】
これらの係合突起５９，６０の先端には、外側に向けられた鈎部５９ａ，６０ａが一体成型されており、鈎部５９ａ，６０ａと基部４９ａの裏面までのそれぞれの長さＬ３が、パネル板４６に穿設されている第１の穴４７ｂの奥行き（深さ）Ｄ２とほぼ等しくなっている。
【００５３】
更に、基部４９ａの係合突起５９，６０より内側の裏面には、電気回路基板５０を装着する凸状段部６１，６２が一体成型され、更に、凸状段部６１，６２の一端部には、複数の嵌合突起６１ａ，６２ａが突設されている。
【００５４】
電気回路基板５０には、嵌合突起６１ａ，６２ａを嵌挿させる複数の嵌合孔５０ａ，５０ｂが穿設され、更に、特別図柄記憶部材４９の裏面に対向する４個の発光ダイオードＰＤ１〜ＰＤ４が搭載されている。これらの発光ダイオードＰＤ１〜ＰＤ４は、特別図柄作動保留球数の情報を点灯した個数で示すために設けられ、特別図柄記憶部材４９の基部４９ａに形成されている円形凸部５５〜５８に対応させてほぼ横一列に配設されている。更に電気回路基板５０には、発光ダイオードＰＤ１〜ＰＤ４と前記制御装置とを電気的に接続するための配線（図示略）が備えられている。
【００５５】
そして、遊技盤１１の製造工程において、嵌合突起５１，５２と嵌合穴５３，５４とを嵌合させ、更に嵌合突起６１ａ，６１ｂと嵌合穴５０ａ，５０ｂとを嵌合させることにより、カバー部材４８と特別図柄記憶部材４９及び電気回路基板５０とが一体化して成る特別図柄記憶ＬＥＤ４４を完成させた後、この一体化構造の特別図柄記憶ＬＥＤ４４を貫通穴４７内に組み付けている。
【００５６】
このように、特別図柄記憶ＬＥＤ４４を貫通穴４７内に組み付けると、図４の横断面図に示すように、係合突起５９，６０先端の鈎部５９ａ，６０ａがパネル板４６の裏面に自動的に係合し、更に特別図柄記憶部材４９の裏面が段部４７ｃに当接することにより、特別図柄記憶ＬＥＤ４４は、貫通穴４７内に強嵌合され且つ位置ずれが生じることなくパネル板４６に固定される。
【００５７】
また、係合突起５９，６０先端の鈎部５９ａ，６０ａを若干内側に曲げるだけで、パネル板４６との係合状態が解除されるため、一旦取り付けた特別図柄記憶ＬＥＤ４４をパネル板４６から容易に取り外すことができる。
【００５８】
したがって、本実施の形態の特別図柄記憶ＬＥＤ４４によれば、遊技盤１１の製造工程の簡素化が可能となり、また、一旦取り付けた特別図柄記憶ＬＥＤ４４を別個の特別図柄記憶ＬＥＤ４４に容易に取り替えることができるため、修理や保守等を容易且つ迅速に行うことができる。
【００５９】
また、カバー部材４８と特別図柄記憶部材４９との厚みの合計（Ｗ１＋Ｗ２）がパネル板４６に設けられた第１の穴４７ａの奥行きＤ１と等しいことから、特別図柄記憶部材４９が嵌合穴４７内に取り付けられることで、カバー部材４８の前面とパネル板４６の盤面とが面一となる。このため、特別図柄記憶部材４９は、遊技球ＢＬの通過を妨げることがなく、遊技球ＢＬのコース変更を生じさせない構造を実現している。また、カバー部材４８の前面とパネル板４６の盤面とが面一となることにより、遊技球ＢＬによるカバー部材４８の磨耗や、カバー部材４８に表面処理されたメッキや塗装等の剥がれ等を防止することができる。
【００６０】
また、従来のパチンコ機では、遊技球にコース変化を生じさせるのを避ける必要上、天釘の上方の遊技領域に特別図柄記憶ＬＥＤを設けることができず、そのため、天釘上方の遊技領域以外の領域に設けられていた。この結果、視覚的効果をもたらす種々の表示装置やその他の部材を設けるための領域が実質的に狭められる等の問題があったが、本実施の形態によれば、特別図柄記憶ＬＥＤ４４が天釘上の遊技領域に設けられた分、他の遊技領域が実質的に拡大することとなり、遊技盤を設計するための自由度が向上する。
【００６１】
また、カバー部材４８と特別図柄記憶部材４９とを一体化させることにより、発光ダイオードＰＤ１〜ＰＤ４に対応して特別図柄記憶部材４９の表面に形成された円形凸部５５〜５８がカバー部材４８の裏面に接触する。このため、発光ダイオードＰＤ１〜ＰＤ４から出射される光が、円形凸部５５〜５８とカバー部材４８との接触面で減衰されることなく透過することとなり、発光ダイオードＰＤ１〜ＰＤ４の点灯による特別図柄作動保留球数の情報を鮮明に表示させることができる。
【００６２】
また、パネル板４６がアクリル樹脂等の樹脂で成型されているため、切削機械を用いて、極めて高い寸法精度の貫通穴４７を形成することができ、ひいては、特別図柄記憶ＬＥＤ４４のパネル板４６への取り付け精度の向上を実現することができる。
【００６３】
また、前記の樹脂成型金型を用いてパネル板４６を一体成型する場合でも、貫通穴４７の周縁等にバリ等の不要な部分が発生しない。このため、従来技術のように貫通穴４７の周縁を隠すためのフランジ部をパネル板４６に形成する必要はなく、よってパネル板４６の前面を平坦にして、盤面と面一にすることができる。
【００６４】
また、本実施の形態の特別図柄記憶ＬＥＤ４４の変形例として、カバー部材４８の前面に、光強度に応じて光透過性が変化する薄膜を蒸着（ハーフ蒸着という）してもよい。かかるハーフ蒸着を施すと、発光ダイオードＰＤ１〜ＰＤ４のうち、点灯している発光ダイオードの光だけが上記の薄膜を通して表示され、消灯している発光ダイオードは上記の薄膜で遮られる。このため、発光ダイオードＰＤ１〜ＰＤ４が全て消灯している場合には、遊技釘３５の上方にはあたかも特別図柄記憶ＬＥＤ４４が存在せず、いずれか一つの発光ダイオードが点灯した場合に、その特別図柄作動保留球数の情報が盤面に直接表示されるような、新しい視覚的演出効果をもたらす表示手段を提供することができる。
【００６５】
また、以上の説明では、カバー部材４８と特別図柄記憶部材４９及び電気回路基板５０を一体化させて成る特別図柄記憶ＬＥＤ４４を貫通穴４７内に装着させる場合を述べたが、これに代えて、カバー部材４８と特別図柄記憶部材４９とを一体化させてパネル板４６の貫通穴４７内に組み付け、電気回路基板５０は、別個にパネル板４６の裏面に取り付けるようにしてもよい。
【００６６】
すなわち、図５の斜視図に示すように、パネル板４６に設けられた貫通穴４７の周縁の裏面に、複数の嵌合突起６３ａ〜６３ｄを設けると共に、電気回路基板５０の一側部に、嵌合孔６４ａ〜６４ｄを穿設しておき、これら嵌合突起６３ａ〜６３ｄと嵌合孔６４ａ〜６４ｄとを嵌合させることにより、電気回路基板５０をパネル板４６の裏面に取り付ける等の構造にしてもよい。
【００６７】
このように電気回路基板５０を別個に取り付ける構造にすると、電気回路基板５０に電気的故障などが生じた場合であっても、正常な電気回路基板５０に取り替えることができる等、遊技盤１１の保守や管理が容易になる。
【００６８】
なお、本実施の形態では、特別図柄記憶ＬＥＤ４４をパネル板４６に固定するための支持手段として、嵌合突起５１，５２，６１ａ，６２ａ及び嵌合孔５３，５４，５０ａ，５０ｂと係合突起５９，６０を備えているが、本発明は、これらの支持手段に限定されるものではなく、ネジとナットを用いた支持手段等、他の支持手段を適用してもよい。
【００６９】
次に、本発明による遊技機をパチンコ機に適用した第２の実施の形態について、図６及び図７を参照して説明する。なお、図６及び図７において、図２〜図５と同一または相当する部分が同一符号で示されている。
【００７０】
本実施の形態に係るパチンコ機は、図１に示した第１の実施の形態と同様の外観構造を有している。また、図６の横断面図に示すように、アクリル樹脂等の樹脂で一体成型されたパネル板４６の天釘の上方の遊技領域に、第１の実施の形態と同様の、第２の穴４７ａ，４７ｂと段部４７ｃとを備えた貫通穴４７が穿設され、この貫通穴４７内に本実施の形態の特別図柄記憶ＬＥＤ６５が組み付けられている。
【００７１】
特別図柄記憶ＬＥＤ６５は、光透過性を有する硬質樹脂で成型された略平板状のカバー部材４８及び特別図柄記憶部材６６と、特別図柄記憶部材６６の背面に配設される電気回路基板５０とを備えて構成されている。
【００７２】
カバー部材４８の基部４８ａの裏面には、第１の実施の形態と同様に、複数の嵌合突起５１，５２が一体成型されている。電気回路基板５０も、第１の実施の形態と同様に、嵌合孔５０ａ，５０ｂが穿設され、更に、特別図柄記憶部材６６の裏面に対向する４個の発光ダイオードＰＤ１〜ＰＤ４が搭載されている。
【００７３】
特別図柄記憶部材６６には、カバー部材４８に設けられた嵌合突起５１，５２を嵌入させる複数の嵌合穴５３，５４と、電気回路基板５０を装着する凸状段部６１，６２と、電気回路基板５０に設けられた嵌合孔５０ａ，５０ｂに嵌合する複数の嵌合突起６１ａ，６２ａと、可撓性を有する一対の係合突起５９，６０が設けられている。
【００７４】
更に、特別図柄記憶部材６６の表面には、電気回路基板５０に設けられた発光ダイオードＰＤ１〜ＰＤ４に対応させて、光演出部としての４個の光散乱部６７〜７０が形成されている。それぞれの光散乱部６７〜７０は、特別図柄記憶部材６６の基部６６ａの表面に形成された円形凹部６７ａ〜７０ａと、各円形凹部６７ａ〜７０ａの底壁に形成された微細なモザイク状の凹凸部６７ｂ〜７０ｂとで構成されている。
【００７５】
そして、遊技盤の製造工程において、嵌合突起５１，５２と嵌合穴５３，５４とを嵌合させ、更に嵌合突起６１ａ，６１ｂと嵌合穴５０ａ，５０ｂとを嵌合させることにより、カバー部材４８と特別図柄記憶部材６６及び電気回路基板５０とが一体化して成る特別図柄記憶ＬＥＤ６５を完成させた後、この一体化構造の特別図柄記憶ＬＥＤ６５を、パネル板４６に形成された貫通穴４７内に組み付けている。
【００７６】
このように、特別図柄記憶ＬＥＤ６５を貫通穴４７内に組み付けると、図７の横断面図に示すように、係合突起５９，６０先端の鈎部５９ａ，６０ａがパネル板４６の裏面に自動的に係合し、更に特別図柄記憶部材６６の裏面が段部４７ｃに当接することにより、特別図柄記憶ＬＥＤ６５は、貫通穴４７内に強嵌合され且つ位置ずれが生じることなくパネル板４６に固定される。
【００７７】
また、カバー部材４８と特別図柄記憶部材６６との厚みの合計（Ｗ１＋Ｗ２）がパネル板４６に設けられた第１の穴４７ａの奥行きＤ１と等しいことから、特別図柄記憶部材６６を嵌合穴４７内に取り付けると、カバー部材４８の前面とパネル板４６の盤面とが面一となる。このため、特別図柄記憶ＬＥＤ６５は、遊技球ＢＬの通過を妨げることがなく、遊技球ＢＬのコース変更を生じさせない構造を実現している。
【００７８】
また、電気回路基板５０に搭載された発光ダイオードＰＤ１〜ＰＤ４と特別図柄記憶部材６６に形成された光散乱部６７〜７０とが互いに対応して設けられているため、各発光ダイオードＰＤ１〜ＰＤ４から出射された光がモザイク状の凹凸部６７ｂ〜７０ｂを透過する際に、屈折したり散乱されてカバー部材４８の盤面側へ出射する。このため、発光ダイオードＰＤ１〜ＰＤ４から出射される各々の光を単なる輝点として盤面に表示するのではなく、各発光ダイオードＰＤ１〜ＰＤ４からの各々の光を微細な輝点群として表示することができ、特別図柄作動保留球数の情報をより視覚的演出効果を高めて表示することができる。
【００７９】
なお、本実施の形態では、モザイク状の凹凸部６７ｂ〜７０ｂを設ける場合を述べたが、他の形状の凹凸部や透明着色などを施してもよく、これらの凹凸部や透明着色などを施すことによっても、特別図柄作動保留球数の情報をより視覚的演出効果を高めて表示することができる。
【００８０】
次に、本発明による遊技機をパチンコ機に適用した第３の実施の形態について、図８及び図９を参照して説明する。なお、図８及び図９において、図２〜図５と同一または相当する部分が同一符号で示されている。
【００８１】
本実施の形態に係るパチンコ機は、図１に示した第１の実施の形態と同様の外観構造を有している。また、図８の横断面図に示すように、アクリル樹脂等の樹脂で一体成型されたパネル板４６の天釘の上方の遊技領域に、第１の実施の形態と同様の、第２の穴４７ａ，４７ｂと段部４７ｃとを備えた貫通穴４７が穿設され、この貫通穴４７内に本実施の形態の特別図柄記憶ＬＥＤ７１が組み付けられている。
【００８２】
特別図柄記憶ＬＥＤ７１は、アクリル樹脂等の硬質樹脂で成型された特別図柄記憶部材７２と、特別図柄記憶部材７２の背面に配設される電気回路基板５０を備えて構成されている。
【００８３】
特別図柄記憶部材７２は、盤面の一部となる略平板状の基部７２ａと、基部７２ａに連なりパネル板４６の第１の穴４７ａ内に嵌合する側壁部７２ｂとが一体成型されている。この側壁部７２ｂの奥行き方向（ｚ方向）の厚みＷ４と第１の穴４７ａの奥行き（深さ）Ｄ１とが等しくなっている。
【００８４】
側壁部７２ｂの先端部分には、可撓性を有し且つ鈎部５９ａ，６０ａが設けられた一対の係合突起５９，６０と、電気回路基板５０を装着する凸状段部６１，６２と、電気回路基板５０に穿設されている嵌合孔５０ａ，５０ｂに嵌合する複数の嵌合突起６１ａ，６２ａとが一体成型されている。更に、基部７２ａの裏面には、電気回路基板５０に搭載されている発光ダイオードＰＤ１〜ＰＤ４に対応させて、光演出部としての４個のレンズ状凸部７３〜７６が一体成型されている。
【００８５】
４個の発光ダイオードＰＤ１〜ＰＤ４が搭載されている電気回路基板５０には、嵌合突起６１ａ，６２ａを嵌合させる複数の嵌合孔５０ａ，５０ｂが穿設されている。
【００８６】
そして、遊技盤の製造工程において、嵌合突起６１ａ，６１ｂと嵌合穴５０ａ，５０ｂとを嵌合させて、特別図柄記憶部材７２と電気回路基板５０とを一体化させることにより、一体化構造の特別図柄記憶ＬＥＤ７１を完成させた後、この一体化構造の特別図柄記憶ＬＥＤ７１をパネル基板４６に形成された貫通穴４７内に組み付けている。
【００８７】
このように、特別図柄記憶ＬＥＤ７１を貫通穴４７内に組み付けると、図９の横断面図に示すように、係合突起５９，６０先端の鈎部５９ａ，６０ａがパネル板４６の裏面に自動的に係合し、更に特別図柄記憶部材７２の側端部７２ｂが段部４７ｃに当接することにより、特別図柄記憶ＬＥＤ７１は、貫通穴４７内に強嵌合され且つ位置ずれが生じることなくパネル板４６に固定される。
【００８８】
また、特別図柄記憶部材７２の側端部７２ｂの厚みＷ４がパネル板４６に設けられた第１の穴４７ａの奥行きＤ１と等しいことから、基部７２ａ前面とパネル板４６の盤面とが面一となる。このため、特別図柄記憶ＬＥＤ７１は、遊技球ＢＬの通過を妨げることがなく、遊技球ＢＬのコース変更を生じさせない等の構造を実現している。
【００８９】
また、電気回路基板５０に搭載された発光ダイオードＰＤ１〜ＰＤ４と、特別図柄記憶部材７２に形成されたレンズ状凸部７３〜７６とが互いに対応して設けられているため、各発光ダイオードＰＤ１〜ＰＤ４から出射された各々の光が各レンズ状凸部７３〜７６で集光されて盤面側へ出射される。このため、発光ダイオードＰＤ１〜ＰＤ４から出射される各々の光が基部７２ａの表面上において高輝度で表示されることとなり、特別図柄作動保留球数の情報をより鮮明に表示することができる。
【００９０】
また、第１の実施の形態の特別図柄記憶ＬＥＤ４４にはカバー部材４８が設けられているのに対し、本実施の形態の特別図柄記憶ＬＥＤ７１では、このようなカバー部材は設けられず、代わりに、特別図柄記憶部材７２の表面を盤面の一部として機能させている。このため、部品点数を減らすことができる等の効果が得られる。
【００９１】
なお、本実施の形態では、レンズ状凸部７３〜７６を設けた場合を説明したが、これらに代えて、前記第２の実施の形態で述べた光散乱部６７〜７０に相当する模様等を基部７２ａの裏面に形成してもよい。また、基部７２ａの盤面側の表面にハーフ蒸着を施してもよい。かかる構造によれば、特別図柄記憶情報を様々な視覚的演出効果を高めて表示することができる。
【００９２】
以上、本発明の実施の形態として、パチンコ機に設けられる特別図柄記憶ＬＥＤの構造及びその取り付け構造について説明したが、本発明は、特別図柄記憶ＬＥＤに限定されるものではなく、遊技盤の盤面各部に設けられる他の表示装置についても適用できるものである。
【００９３】
また、本発明の遊技機をパチンコ機に適用した実施の形態について説明したが、本発明はパチンコ機に限定されるものではなく、遊技機全般において適用できるものである。たとえば、スマートボール機等の遊技球を用いる弾球遊技機全般において、遊技球に対してコース変化を生じさせない表示装置を設けることが可能である。
【００９４】
【発明の効果】
以上説明したように本発明によれば、表示装置が遊技盤の盤面より張り出さないため、弾球遊技機等の遊技球を用いる遊技機にあっては、遊技球が表示装置に当たってそのコース変更をもたらす等の問題を未然に防止することができる。また、遊技球により表示装置の摩耗等の問題も回避することができる。また、表示装置の背面側の周縁部分が貫通穴の段部に当接し、表示装置の背面側に設けた係合突起が、パネル板の背面側における貫通穴の縁部分に係合するので、表示装置は、位置ずれを生じることなく、パネル板の所定位置に固定される。また、係合突起は、表示装置を貫通穴内に挿入することによって自動的にパネル板の裏面に係合し、また、撓めることによってパネル板との係合状態が解除されるので、表示装置の着脱が容易に行える。これにより一旦取り付けた表示装置を別個の表示装置に容易に取り替えたりすることができるため、修理や保守等を容易且つ迅速に行うことができる。
【００９５】
また、表示装置を保留球の記憶表示装置とすると、記憶された保留球の情報を表示装置によって表示させることができる。
【００９６】
また、表示装置を少なくとも表示情報記憶媒体とその背面に設けられる電気回路基板とで構成し、電気回路基板に搭載された発光素子の出射光を表示情報記憶媒体を透過させて表示するので、表示情報記憶媒体に様々な模様等を記憶させておくことにより、様々な視覚的演出効果を発揮させることができる。
【００９７】
なお、以上の効果は一例であり、本発明の表示装置を適用することにより、様々な遊技の演出効果を発揮させる遊技機を実現することができる。
【図面の簡単な説明】
【図１】本発明の実施の形態に係るパチンコ機の外観構造を示す正面図である。
【図２】第１の実施の形態における特別図柄記憶ＬＥＤの構造及びその取り付け構造を示す斜視図である。
【図３】第１の実施の形態における特別図柄記憶ＬＥＤの構造及びその取り付け構造を示す横断面図である。
【図４】第１の実施の形態における特別図柄記憶ＬＥＤの構造及びその取り付け構造を更に示す横断面図である。
【図５】第１の実施の形態における特別図柄記憶ＬＥＤの変形例の構造及びその取り付け構造を示す斜視図である。
【図６】第２の実施の形態における特別図柄記憶ＬＥＤの構造及びその取り付け構造を示す横断面図である。
【図７】第２の実施の形態における特別図柄記憶ＬＥＤの構造及びその取り付け構造を更に示す横断面図である。
【図８】第３の実施の形態における特別図柄記憶ＬＥＤの構造及びその取り付け構造を示す横断面図である。
【図９】第３の実施の形態における特別図柄記憶ＬＥＤの構造及びその取り付け構造を更に示す横断面図である。
【図１０】従来のパチンコ機に設けられた特別図柄記憶ＬＥＤの構造とその取り付け構造を示す図面である。
【符号の説明】
４４，６５，７１…特別図柄記憶ＬＥＤ
４６…パネル板
４７…貫通穴
４８…カバー部材
４９，６６，７２…特別図柄記憶部材
５０…電気回路基板
５１，５２，６１ａ，６２ａ…嵌合突起
５０ａ，５０ｂ，５３，５４…嵌合孔
５５〜５８…円形凸部
６１，６２…凸状段部
５９，６０…係合突起
５９ａ，６０ａ…鈎部
６７〜７０…光散乱部
７３〜７６…レンズ状凸部
ＰＤ１〜ＰＤ４…発光ダイオード
【図１】
0003761316.tif 000002
【図２】
0003761316.tif 000003
【図３】
0003761316.tif 000004
【図４】
0003761316.tif 000005
【図５】
0003761316.tif 000006
【図６】
0003761316.tif 000007
【図７】
0003761316.tif 000008
【図８】
0003761316.tif 000009
【図９】
0003761316.tif 000010
【図１０】
0003761316.tif 000011